(57)【要約】  【課題】  プラテンガラスに汚れが生じても，その清掃のための手間と時間を要せずに原稿画像の読取りの開始或いは続行を可能とすること。  【解決手段】  可動プラテンガラス６０は，回転可能に支持され，複数の読取り面ｆ１〜ｆ４が形成された略四角柱状であり，該可動プラテンガラス６０を回転させることにより，読取り面ｆ１〜ｆ４のいずれを読取り位置Ｐに位置させるかを切り替え可能に構成されている。さらに，可動プラテンガラス６０は，その角部が面取りされ，面取り部ｃ１〜ｃ４は，光源１２ａからの光を読取り位置Ｐにある読取り面ｆ１に集光するレンズ面となるよう形成されている。【選択図】図１
2005184741.tif 000002
【特許請求の範囲】
【請求項１】
プラテンガラスに沿って搬送中の原稿から画像を読み取る画像読取り装置において，
前記プラテンガラスが，画像を読み取る際に前記搬送中の原稿に沿わせる読取り面を複数有し，該読取り面のいずれを前記搬送中の原稿に沿う読取り位置に位置させるかを切り替え可能に支持されてなることを特徴とする画像読取り装置。
【請求項２】
前記プラテンガラスが，回転可能に支持され，複数の前記読取り面が形成された略角柱状であり，該プラテンガラスを回転させることにより前記読取り面のいずれを前記読取り位置に位置させるかを切り替え可能に構成されてなる請求項１に記載の画像読取り装置。
【請求項３】
前記プラテンガラスが，複数組の平行な前記読取り面が形成された略角柱状である請求項２に記載の画像読取り装置。
【請求項４】
前記プラテンガラスが，角部が面取りされた略角柱状である請求項２又は３に記載の画像読取り装置。
【請求項５】
前記プラテンガラスの前記面取り部に，光源からの光を前記読取り位置にある前記読取り面に集光するレンズ面が形成されてなる請求項４に記載の画像読取り装置。
【請求項６】
前記プラテンガラスを駆動して前記読取り面の位置を切り替える読取り面切替手段を具備してなる請求項１〜５のいずれかに記載の画像読取り装置。
【請求項７】
前記読取り位置以外に位置する前記読取り面の１又は複数を清掃する清掃手段を具備してなる請求項１〜６のいずれかに記載の画像読取り装置。
【請求項８】
前記清掃手段が備える駆動部が，前記原稿の搬送用の駆動源に連結されてなる請求項７に記載の画像読取り装置。
【請求項９】
前記読取り面切替手段が，前記プラテンガラスの駆動部と前記清掃手段の駆動部との連結状態を切り替えるクラッチを備え，該クラッチの切り替えにより前記読取り面の位置を切り替えてなる請求項７又は８に記載の画像読取り装置。
【請求項１０】
原稿の読み取り回数を積算する読取り回数積算手段を具備し，
前記読取り面切替手段が，前記読取り回数積算手段の積算回数に基づいて前記プラテンガラスの前記読取り面の位置を切り替えてなる請求項６〜９のいずれかに記載の画像読取り装置。
【請求項１１】
前記プラテンガラスの前記読取り面の汚れを検出する汚れ検出手段を具備し，
前記読取り面切替手段が，前記汚れ検出手段の検出結果に基づいて前記プラテンガラスの前記読取り面の位置を切り替えてなる請求項６〜１０のいずれかに記載の画像読取り装置。
【請求項１２】
前記読取り位置にある前記読取り面に対向する位置に基準読取り面が形成された基準部材を具備し，
前記汚れ検出手段が，前記基準読取り面を読み取った画像に基づいて汚れを検出してなる請求項１１に記載の画像読取り装置。
【請求項１３】
前記汚れ検出手段により前記読取り面の汚れが検出された結果，前記読取り面切替手段により前記読取り面が切り替えられた後，さらに前記汚れ検出手段により前記読取り面の汚れが検出された場合に，前記基準読取り面の汚れが検出された旨を通知する基準読取り面汚れ通知手段を具備してなる請求項１２に記載の画像読取り装置。
【請求項１４】
請求項１〜１３のいずれかに記載の画像読取り装置を具備してなることを特徴とする画像処理装置。
【発明の詳細な説明】
【技術分野】
【０００１】
本発明は，プラテンガラスに沿って搬送中の原稿から画像を読み取る画像読取り装置及びそれを具備する画像処理装置に関するものである。
【背景技術】
【０００２】
複写機やスキャナ装置，ファクシミリ装置等の画像処理装置では，原稿から画像を読み取る画像読取り装置を備えている。
ここで，いわゆるＡＤＦ（自動原稿搬送装置）を備える画像読取り装置（原稿読み取り装置）では，プラテンガラス（読取りガラス）に沿って搬送中の原稿から，静止した画像読取り部（原稿読取り部）によって原稿画像を読み取る。その際，原稿がプラテンガラスに接触し，原稿に付着した未定着材料でプラテンガラスが汚れることがある。この汚れは，得られた画像データに筋状のノイズ画像データとして含まれることとなり著しく画像品質を悪化させる。
これに対し，例えば，特許文献１には，プラテンガラス（読取基準部材）に原稿が当接するのを防止する当接防止手段を設けることにより，プラテンガラスの汚れを防止するものが示されている。
【特許文献１】特開平０９−３０７６９５号公報
【発明の開示】
【発明が解決しようとする課題】
【０００３】
しかしながら，プラテンガラスの汚れは，原稿の接触によるものに限らず，紙粉やほこり等，原稿が接触しなくても生じることがあり，特許文献１に示される技術ではこのような接触以外の汚れ発生要因に対応できないという問題点があった。このため，プラテンガラスが一旦汚れてしまうと，処理の開始前に或いは処理を中断し，まず，プラテンガラスの清掃を行ってから原稿読取りを行う必要があり，手間を要する上，特に，処理を急いでいる利用者にとって不都合が生じていた。
従って，本発明は上記事情に鑑みてなされたものであり，その目的とするところは，プラテンガラスに汚れが生じても，その清掃のための手間と時間を要せずに原稿画像の読取りの開始或いは続行が可能な画像読取り装置及びこれを具備する画像処理装置を提供することにある。
【課題を解決するための手段】
【０００４】
上記目的を達成するために本発明は，プラテンガラスに沿って搬送中の原稿から画像を読み取る画像読取り装置において，前記プラテンガラスが，画像を読み取る際に前記搬送中の原稿に沿わせる読取り面を複数有し，該読取り面のいずれを前記搬送中の原稿に沿う読取り位置に位置させるかを切り替え可能に支持されてなることを特徴とする画像読取り装置として構成されるものである。
これにより，１つの前記読取り面に汚れが生じた場合であっても，他の前記読取り面に切り替えることにより，原稿画像の読取りの開始或いは続行が可能となる。
ここで，前記読取り面を切り替える構成としては，例えば，前記プラテンガラスが，回転可能に支持され，複数の前記読取り面が形成された略角柱状であり，該プラテンガラスを回転させることにより前記読取り面のいずれを前記読取り位置に位置させるかを切り替え可能に構成されたものが考えられる。
これにより，複数の読取り面の領域が形成された板状のプラテンガラスをスライドさせて読取り面を切り替える等の構成に比べ，非常に省スペースで前記読取り面の切り替え機構を構成することが可能となる。
さらにこの場合，前記プラテンガラスが，複数組の平行な前記読取り面が形成された略角柱状であれば好適である。
一般に，画像読取り装置では，原稿面からその垂直方向に反射する反射光（散乱光）を受光して画像を読み取る。上記構成によれば，原稿面からその垂直方向に反射する反射光を，前記読取り位置にある前記読取り面の反対側に平行に位置する面（他の前記読取り面）を介して受光することができ，従来の構成を変更せずにそのまま利用することができる。
【０００５】
また，前記プラテンガラスが，角部が面取りされた略角柱状であれば，その断面形状が円形に近づく，即ち，回転軸から表面までの最大距離差が０（ゼロ）に近づくことになり，前記プラテンガラスの回転半径を小さくして省スペース化が図れる。さらに，前記プラテンガラスの周囲に形成するカバーを，前記プラテンガラスの表面により近づけることができるので，カバーとプラテンガラスとの隙間から紙粉やほこりが装置内部に侵入することを極力防止することができる。
この場合，前記プラテンガラスの前記面取り部に，光源からの光を前記読取り位置にある前記読取り面に集光するレンズ面が形成されたものであれば，簡易な構成で光源からの光を効率的に原稿へ集光でき，比較的光強度の低い光源であっても使用できる。
【０００６】
また，前記読取り面の切り替えをレバー等により手作業で行う構成も考えられるが，前記プラテンガラスを駆動して前記読取り面の位置を切り替える読取り面切替手段を具備するものも考えられる。
また，前記読取り位置以外に位置する前記読取り面の１又は複数を清掃する清掃手段を具備するものであれば，汚れの生じていない前記読取り面を使用中に，汚れが生じた他の前記読取り面が自動清掃されるので，清掃の手間が省けるとともに，全ての前記読取り面が汚れてしまって原稿読取り処理を中断しなければならないといった事態の発生を防止できる。
さらに，前記清掃手段が備える駆動部が，前記原稿の搬送用の駆動源に連結されたものであれば，原稿搬送用の駆動源を清掃用の駆動源に兼用でき，簡易な構成で実現できる。この場合，原稿読取り中（搬送中）に前記他の読取り面が清掃されることになる。
また，前記読取り面切替手段が，前記プラテンガラスの駆動部と前記清掃手段の駆動部との連結状態を切り替えるクラッチを備え，該クラッチの切り替えにより前記読取り面の位置を切り替えたものが考えられる。
前記読取り面の切り替えのための前記プラテンガラスの駆動は，ごく一時的に必要であるだけなので，上記構成により，前記清掃手段の駆動源を前記プラテンガラスの駆動源として兼用できる。ここで，前述のごとく原稿搬送用の駆動源を前記清掃手段の駆動源に兼用している場合は，原稿搬送用の駆動源を，前記清掃手段及び前記プラテンガラスの両方の駆動源として兼用でき，さらに好適である。この場合，原稿搬送の開始から原稿が前記プラテンガラスの位置に到達するまでの間に，前記プラテンガラスを駆動させて前記読取り面の切り替えを行い，それ以降，原稿搬送終了までに前記他の読取り面の清掃を行えばよい。
【０００７】
また，前記読取り面の切り替え方法としては，例えば，原稿の読み取り回数を積算する読取り回数積算手段を具備し，前記読取り面切替手段が，前記読取り回数積算手段の積算回数に基づいて前記プラテンガラスの前記読取り面の位置を切り替えるものが考えられる。
また，前記プラテンガラスの前記読取り面の汚れを検出する汚れ検出手段を具備し，前記読取り面切替手段が，前記汚れ検出手段の検出結果に基づいて前記プラテンガラスの前記読取り面の位置を切り替えるものも考えられる。
汚れ検出の具体例としては，前記読取り位置にある前記読取り面に対向する位置に基準読取り面が形成された基準部材を具備し，前記汚れ検出手段が，前記基準読取り面を読み取った画像に基づいて汚れを検出するものが考えられる。
さらにこの場合，前記汚れ検出手段により前記読取り面の汚れが検出された結果，前記読取り面切替手段により前記読取り面が切り替えられた後，さらに前記汚れ検出手段により前記読取り面の汚れが検出された場合に，前記基準読取り面の汚れが検出された旨を通知する基準読取り面汚れ通知手段を具備するものが考えられる。
これにより，前記プラテンガラスの汚れと前記基準読取り面の汚れとを分けて判別でき，前記基準読取り面の清掃を利用者に促すことができる。
また，本発明は，前記各画像読取り装置を具備してなることを特徴とする画像処理装置として捉えたものであってもよい。
【発明の効果】
【０００８】
本発明によれば，プラテンガラスが，画像を読み取る際に搬送中の原稿に沿わせる読取り面を複数有し，該読取り面のいずれを前記搬送中の原稿に沿う読取り位置に位置させるかを切り替え可能に支持されているので，１つの前記読取り面に汚れが生じた場合であっても，他の前記読取り面に切り替えることにより，原稿画像の読取りの開始或いは続行が可能となる。
また，前記プラテンガラスが，回転可能に支持され，複数の前記読取り面が形成された略角柱状であり，該プラテンガラスを回転させることにより前記読取り面のいずれを前記読取り位置に位置させるかを切り替え可能に構成されたものであれば，非常に省スペースで前記読取り面の切り替え機構を構成することが可能となる。
さらにこの場合，前記プラテンガラスが，複数組の平行な前記読取り面が形成された略角柱状であれば，原稿面からその垂直方向に反射する反射光を受光するという従来の構成を変更せずにそのまま利用することができる。
また，前記プラテンガラスが，角部が面取りされた略角柱状であれば，その回転半径を小さくして省スペース化が図れるとともに，前記プラテンガラスとその周囲のカバーと隙間を狭めることができ，紙粉やほこりが装置内部に侵入することを極力防止することができる。
さらに，前記プラテンガラスの前記面取り部に，光源からの光を前記読取り位置にある前記読取り面に集光するレンズ面が形成されたものであれば，比較的光強度の低い光源を用いる場合であっても集光レンズを別途設ける必要必要がなく，構成を簡略化でき好適である。
さらに，前記プラテンガラスを駆動して前記読取り面の位置を切り替える読取り面切替手段や，前記読取り位置以外に位置する前記読取り面の１又は複数を清掃する清掃手段を具備すれば，利用者の手間が省け好適である。
【発明を実施するための最良の形態】
【０００９】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係る原稿読取り装置Ｘの主要部の概略構成を表す側断面図，図２は原稿読取り装置Ｘが備えるプラテンガラスの集光機能を説明する模式図，図３は原稿読取り装置Ｘにおけるプラテンガラス等の駆動源の連結機構を模式的に表す図，図４は原稿読取り装置Ｘが搭載される画像処理装置１の概略構成を表す側断面図，図５は原稿読取り装置Ｘの制御部の概略構成を表すブロック図である。
【００１０】
まず，図４に示す断面図を用いて，後述する本発明の各実施の形態に係る原稿読取り装置Ｘが搭載される画像形成装置１の構成について説明する。
本画像形成装置１は，印刷モードとしてコピアモード（複写モード），プリンタモード，ＦＡＸモードを有しており，不図示の操作部からの操作入力や，パーソナルコンピュータ等の外部ホスト装置からの印刷ジョブの受信に応じた印刷モードが，不図示の制御部によって選択される。
図１に示すように，本画像形成装置１は，画像読取り装置Ｘ，給紙部２０，印刷部３０，排紙部４０に大別され，画像読取り装置Ｘが給紙部２０の上方に配設され，排紙部４０が画像読取り装置Ｘと給紙部２０の中間部位に配設されている。
以下に，上記各処理モードの中からコピアモードについて説明する。
ユーザが，画像読取り装置Ｘ（スキャナ部）の原稿載置用のプラテンガラス１１上に原稿を載置した後，給紙部２０の給紙カセット２１或いは装置側面に設けられた手差しトレイ２３に用紙（記録シート）を装着し，さらに装置の外装前面部に配置される操作パネル（不図示）上の条件入力キー（印刷枚数／印刷倍率等々）を入力した後に，操作パネルのスタートキーを操作するとコピー動作が開始される。
スタートキーが操作されると，メイン駆動モータ（不図示）が始動し，各駆動ギヤが回転する。その後，給紙ローラ２２又は２２ａが回転して用紙が装置内へ送出（給紙）され，給紙された用紙はレジストローラ３１（ローラ対）に到達して捕捉される。このレジストローラ３１により，用紙は，感光体ドラム３２上に形成される画像の先端部（画像形成開始部）と同期をとるために一時停止され，用紙の先端部が均一にレジストローラ３１に押しつけられて用紙の先端位置の補正が行なわれるとともに，用紙の斜め送りも補正される。
【００１１】
一方，画像読取り装置Ｘにおいては，コピーランプ１２ａ（光源）が点灯し，コピーランプユニット１２が矢印方向へ移動することで露光が開始される。コピーランプ１２ａにより原稿に照射された照射光は，原稿の画像情報を含む反射光（原稿からの反射光）となり，該反射光は，コピーランプユニット１２に設けられた第１ミラー１２ｂから第２ミラー１３，第３ミラー１４，光学レンズ１５から，ＣＣＤ１６へ入力されることによって読み取られる。
このようにして読み取られた画像情報は，不図示の制御部が備えるＣＣＤ回路で，光の画像情報が電気的信号に変換され，その画像情報信号は，設定された条件で画像処理が行われ，ＬＳＵユニット３３へプリントデータとして送信される。
他方，感光体ドラム３２は，帯電ユニット３４により，全体が所定帯電電位に帯電される。ＬＳＵユニット３３からのレーザ光は，不図示のポリゴンミラーや各種レンズを通して，感光体ドラム３２へ照射されて，感光体ドラム３２上に静電潜像が形成される。その後，現像槽３５中のＭＧローラ３５ａ上のトナーが，感光体ドラム３２表面上に引き寄せられ，静電潜像はトナーによって感光体ドラム３２上の電位ギャップに応じて顕像化される。
また，作像される用紙（シート）は，タイミングを合わせてレジストローラ３１により，感光体ドラム３２方向へ搬送され，転写ユニット３６（コロナチャージャ）により感光体ドラム３２上のトナーが用紙に転写される。感光体ドラム３２上の残留したトナーはドラムユニットのクリーニングブレード３７ａによってかきとられ，クリーナーユニット３７により回収される。
【００１２】
他方，トナーの転写が終了した用紙は，定着装置３８（定着工程）の上ヒートローラ３８ａと下ヒートローラ３８ｂを通過して，熱と圧力が加えられ，用紙上の未定着トナーが用紙に溶融・固着され，排紙ローラ４１により排紙トレイ４２に排出される。
また，画像読取り装置Ｘが備える原稿トレイ１９に原稿が載置されていることが，所定のセンサにより検出されている場合には，所定のスタートキー操作がなされたときに給紙ローラ５１が回転し，原稿トレイ１９上に載置された原稿が画像読取り装置Ｘ内へ送出されて所定の搬送経路Ｒｔ１中を搬送される。この搬送経路Ｒｔ１には，レジストローラ５３が設けられており，このレジストローラ５３によって原稿が捕捉され，原稿先端の位置決めが行われた後，所定のタイミングで原稿読取り位置Ｐへ搬送される。この原稿先端の位置決めにより、原稿の斜め送りも補正される。
一方，前記コピーランプユニット１２が所定の停止位置（原稿読取り位置Ｐ）で停止したまま搬送中の原稿を露光する。この露光により得られた原稿からの反射光により原稿画像を読み取る処理は前述した通りである。
このようにして画像が読み取られた原稿は，原稿排出部１８へ排出される。
前記原稿読取り位置Ｐには，前記コピーランプユニット１２から原稿への照射光及びその反射光を透過させるガラス部材であり，回転可能に支持された可動プラテンガラス６０が配置されている。
【００１３】
次に，図５のブロック図を用いて，画像読取り装置Ｘを制御する制御部９０の概略構成について説明する。
前記制御部９０は，各種演算処理を実行するＣＰＵ９１と，該ＣＰＵ９１で実行される制御プログラムが格納（記憶）されるＲＯＭ９２と，前記制御プログラムが実行時に展開されるＲＡＭ９３と，画像読取り装置Ｘが備える各種アクチュエータや後述するクラッチ等への制御信号の出力や各種センサからの検出信号の入力を行い，前記ＣＰＵ９１との間で各信号を中継するＩ／Ｏ９４と，画像処理装置１（画像読取り装置Ｘを含む）に対して各種情報や指令の入力及び装置状態の表示を行う液晶タッチパネル等の表示操作部９５とを具備している。前記制御部９０は，制御プログラムを実行することにより，各種センサからの入力に基づいて，各種アクチュエータ等に対する制御信号を前記Ｉ／Ｏ９４を介して出力する。
【００１４】
図１を用いて前述したように，画像読取り装置Ｘは，前記原稿トレイ１９に載置された原稿の画像を読み取る場合は，原稿を前記原稿トレイ１９から前記読取り位置Ｐへ搬送し，前記可動プラテンガラス６０に沿って搬送中の原稿から画像を読み取る。
本画像読取り装置Ｘの特徴は，前記可動プラテンガラス６０が，画像を読み取る際に搬送中の原稿に沿わせる読取り面を複数有し，該読取り面のいずれを前記読取り位置Ｐ（搬送中の原稿に沿う位置）に位置させるかを切り替え可能に支持されていることである。
以下，図１の側断面図を用いて，画像読取り装置Ｘの主要部である前記可動プラテンガラス６０周辺の構成について説明する。
前記可動プラテンガラス６０は，回転可能に支持され，複数の平面ｆ１〜ｆ４（以下，読取り面という）が形成された略四角柱状であり，該可動プラテンガラス６０を回転させることにより，前記読取り面ｆ１〜ｆ４のいずれを前記読取り位置Ｐに位置させるかを切り替え可能に構成されている。ここで，前記可動プラテンガラス６０は，略四角柱状であるので，２組（複数組）の平行な前記読取り面（ｆ１とｆ３とが平行，ｆ２とｆ４とが平行）が形成された形状を有する。
さらに，略四角柱状の前記可動プラテンガラス６０は，その角部が面取りされている（以下，この面取りされた部分を面取り部ｃ１〜ｃ４という）。
前記可動プラテンガラス６０の前記読取り位置Ｐにおける原稿搬送方向の上流側及び下流側各々には，外部から装置内へ紙粉やほこりが侵入することを防止するためのフレーム６１（カバー）が設けられている。このフレーム６１は，前記可動プラテンガラス６０に対向する部分が湾曲して形成され，極力，前記可動プラテンガラス６０との隙間が狭くなるよう構成されている。ここで，前記可動プラテンガラス６０の角部が面取りされているので，その隙間がより狭くなるよう構成されている。
【００１５】
また，画像読取り装置Ｘは，前記読取り位置Ｐ以外に位置する前記読取り面ｆ１〜ｆ４の１つ（図１では，ｆ４）を清掃するブラシローラ６３（前記清掃手段の一例）を具備している。該ブラシローラ６３は，バネ等の弾性部材６４によって前記読取り面ｆ１〜ｆ４の１つに弾性付勢され，回転することによって原稿読取りに関与しない前記読取り面ｆ１〜ｆ４の１つを清掃する。
これにより，汚れの生じていない前記読取り面の１つ前記読取り位置Ｐに位置させて使用中に，汚れが生じた他の前記読取り面が自動清掃されるので，清掃の手間が省けるとともに，全ての前記読取り面ｆ１〜ｆ４が汚れてしまって原稿読取り処理を中断しなければならないといった事態の発生を防止できる。
図１では，前記ブラシローラ６３を１つのみ設けているが，これを複数設けてもよい。例えば，図１に示すブラシローラ６３の反対側の位置（読取り面ｆ２側の位置）にもう１つ設けること等が考えられる。
【００１６】
また，前記可動プラテンガラス６０の前記面取り部ｃ１〜ｃ４は，前記コピーランプ１２ａ（前記光源の一例）からの光を前記読取り位置Ｐにある前記読取り面（ｆ１〜ｆ４のいずれか）に集光するレンズ面となるよう形成されている。
図２は，前記可動プラテンガラス６０の集光機能を説明する模式図である。
図２に示すように，前記読取り面ｆ１が前記読取り位置Ｐに位置する場合，前記面取り部ｃ２の面に入射した前記コピーランプ１２ａからの光は，前記面取り部ｃ２の曲面における光の屈折作用により，前記読取り面ｆ１に集光される。そして，前記読取り面ｆ１に接する原稿（不図示）に反射した反射光（散乱光）のうち，原稿面に垂直な方向への反射し，前記読取り面ｆ１の反対側の平行面（前記読取り面ｆ３）からこの面に垂直に出射した反射光が，前記第１〜第３ミラー１２ｂ，１３，１４を通じて前記ＣＣＤ１６によって受光される。同様に，前記読取り面ｆ２，ｆ３，ｆ４が前記読取り位置Ｐに位置する場合は，各々前記面取り部ｃ３，ｃ４，ｃ１が光を集光するレンズ面となる。これにより，簡易な構成で前記コピーランプ１２ａ（光源）からの光を効率的に原稿へ集光できる。これにより，比較的光強度の低い光源であっても使用できる。
ここで，前記コピーランプ１２ａからの出射光について，前記可動プラテンガラス６０周方向の両外側における前記読取り面ｆ１〜ｆ４までの両光路長（図中，Ｌ１＋Ｌ２とＬ３＋Ｌ４）が略等しくなるように前記面取り部ｃ２〜ｃ４，ｃ１を形成すれば，より効率的に集光することができる。
ここで，前記可動プラテンガラス６０の形状を，相互に反対側の面が平行とならない略角柱状，例えば，略３角柱や略５角柱等（奇数角柱状）とすることも考えられる。しかし，この場合，前記読取り位置Ｐに位置する前記読取り面と反対側の面から反射光を出射させることができないので，前記第１ミラー１２ｂの位置を，前記読取り位置Ｐの読取り面に対し，前記コピーランプ１２ａの反対側（図２では，紙面に向かって右側）に配置する必要があり，従来の一般的な構成と異なる構成（配置）としなければならない。
【００１７】
さらに，本画像読取り装置Ｘは，前記可動プラテンガラス６０を駆動して，前記読取り面ｆ１〜ｆ４のいずれを前記読取り位置Ｐに位置させるかを切り替える読取り面切替機構７０（前記読取り面切替手段の一例）を備えている。
図３は，前記読取り面切替機構７０の概略構成を表す図である。
前記ブラシローラ６３及び前記可動プラテンガラス６０の駆動源は，原稿搬送用の駆動源８０と兼用している。
前記原稿搬送用の駆動源８０の回転軸８１には駆動ギア７１が，前記ブラシローラ６３の回転軸６３ａには第１被駆動ギア７２が，前記可動プラテンガラス６０の回転軸６０ａには，電動のスプリングクラッチ７４を介して第２被回転ギア７３が各々設けられている。
そして，前記駆動ギア７１と前記第１被回転ギア７２とは，相互に噛み合う状態で配置されており，これにより，前記ブラシローラ６３（前記清掃手段の一例）の駆動部が，前記原稿搬送用の駆動源８０に連結されている。
また，前記第１被駆動ギア７２と前記第２被駆動ギア７３とは，相互に噛み合う状態で配置されている。
そして，当該読取り面切替機構７０では，前記スプリングクラッチ７４により，前記可動プラテンガラス６０の駆動部と前記ブラシローラ６３（清掃手段）の駆動部との連結状態を切り替え，このクラッチ切り替えによって前記可動プラテンガラス６０の回転／停止を切り替えて前記読取り面ｆ１〜ｆ４の位置を切り替える。この切り替え制御は，前記制御部９０が制御プラグラムを実行し，前記Ｉ／Ｏ９４を介して前記スプリングクラッチ７４に制御信号を出力することにより行う。
前記読取り面ｆ１〜ｆ２の位置を切り替える際のクラッチ切り替えのタイミング制御は，例えば，前記可動プラテンガラス６０の回転軸６０ａに設けた突起部等（不図示）が接触することにより既定位置まで回転したことを検出するリミットスイッチ（不図示）や，前記回転軸６０ａの回転量を検出するポテンショメータ（不図示）等を設け，その検出結果に従って制御すること等が考えられる。
【００１８】
また，前記制御部９０は，前記読取り面切替機構７０によって以下の２つのタイミングで前記読取り面ｆ１〜ｆ４の位置の切り替えが行われるように制御する。
その１つは，前記制御部９０により，原稿の読み取り回数を積算し（前記読取り回数積算手段の一例），その積算回数が既定回数を超えた場合に，前記読取り面切り替え機構７０（前記読取り面切替手段の一例）によって前記可動プラテンガラス６０の読取り面ｆ１〜ｆ４の位置が切り替えられるよう前記スプリングクラッチ７４を制御するものである。
これにより，前記読取り面ｆ１〜ｆ４の汚れが発生する前であっても，その可能性が高くなったときに予防的に前記読取り面が切り替えられる。
原稿の読み取り枚数の積算は，原稿の前記搬送経路Ｒｔ１に，画像読取りがなされた原稿の通過を検出する通紙センサ（不図示）を設け，この通紙センサの検出結果により原稿の通紙回数を積算することによって行う。通信センサの検出結果は，前記Ｉ／Ｏ９４を通じて前記ＣＰＵ９１に入力する。
もう１つは，前記原稿トレイ１９に載置された原稿の搬送（送出）が開始されたときに，前記制御部９０により，前記可動プラテンガラス６０の前記読取り面ｆ１〜ｆ４の汚れを検出し（前記汚れ検出手段の一例），その検出結果に応じて（即ち，汚れが検出された場合に），前記読取り面切り替え機構７０（前記読取り面切替手段の一例）によって前記可動プラテンガラス６０の読取り面ｆ１〜ｆ４の位置が切り替えられるよう前記スプリングクラッチ７４を制御するものである。
ここで，前記読取り面ｆ１〜ｆ４の汚れ検出は，原稿が前記読取り位置Ｐに存在しない状態で，前記読取り位置Ｐ上側に配置された原稿抑え板６２（図１参照，前記基準部材の一例）の下面（前記読取り面に対向する位置）に形成された基準読取り面６２ａの画像（無地画像）を読取り，前記制御部９０が，その読取り画像に基づいて汚れを検出する。即ち，本来，無画像（所定輝度以下となる画素が存在しない）であるはずの前記基準読取り面からの読取り画像に，何らかの画像の存在（予め設定された輝度以下の画素が予め設定された数以上存在すること）が検出された場合に，汚れがあると検出する。
これにより，汚れの生じた前記読取り面ｆ１〜ｆ４で，連続して画像読取りが行われることを防止できる。
【００１９】
ここで，前記基準読取り面６２ａの読取り結果により汚れ検出を行う場合，前記基準読取り面６２ａ自体が汚れている場合も，前記読取り面ｆ１〜ｆ４が汚れていると検出されてしまう。
そこで，画像読取り装置Ｘは，前記制御部９０により，前記基準読取り面６２ａの汚れ検出も行う。
即ち，前記制御部９０（前記汚れ検出手段及び前記基準読取り面汚れ通知手段の一例）は，前記読取り位置Ｐに位置する前記読取り面（例えばｆ１）の汚れを検出した結果，前記読取り面切り替え機構７０によって前記読取り面の切り替えを行わせた場合，その後，さらに前記読取り面の汚れを検出した場合に，前記基準読取り面６２ａの汚れが検出された旨を通知する。この通知は，前記表示操作部９５に対してその旨の情報，例えば，「原稿押さえ板に汚れが検出されましたので清掃して下さい。」等の情報を表示させることにより行う。
これにより，前記可動プラテンガラス６０の汚れと前記基準読取り面６２ａの汚れとを分けて判別でき，前記基準読取り面６２ａの清掃を利用者に促すことができる。
【産業上の利用可能性】
【００２０】
本発明は，原稿から画像を読み取る画像読取り装置への利用が可能である。
【図面の簡単な説明】
【００２１】
【図１】本発明の実施の形態に係る原稿読取り装置Ｘの主要部の概略構成を表す側断面図。
【図２】原稿読取り装置Ｘが備えるプラテンガラスの集光機能を説明する模式図。
【図３】原稿読取り装置Ｘにおけるプラテンガラス等の駆動源の連結機構を模式的に表す図。
【図４】原稿読取り装置Ｘが搭載される画像処理装置１の概略構成を表す側断面図。
【図５】原稿読取り装置Ｘの制御部の概略構成を表すブロック図。
【符号の説明】
【００２２】
Ｘ…画像読取り装置
１…画像形成装置
１２ａ…コピーランプ（光源）
１８…原稿排出部
２０…給紙部
３０…印刷部
３１，５３…レジストローラ
３２…感光体ドラム
３４…帯電ユニット
３５…現像槽
３６…転写ユニット
３８…定着装置
４０…排紙部
６０…可動プラテンガラス
６０ａ…可動プラテンガラスの回転軸
６１…フレーム（カバー）
６２…原稿抑え板
６２ａ…基準読取り面
６３…ブラシローラ（清掃手段）
６３ａ…ブラシローラの回転軸
６４…弾性部材
７０…読取り面切替機構
７１…駆動ギア
７２…第１被駆動ギア
７３…第２被駆動ギア
７４…スプリングクラッチ
８０…原稿搬送用の駆動源
９０…制御部
９１…ＣＰＵ
９２…ＲＯＭ
９３…ＲＡＭ
９４…Ｉ／Ｏ
９５…表示操作部
ｆ１〜ｆ４…読取り面
ｃ１〜ｃ４…面取り部（レンズ面）
Ｐ…読取り位置
【図１】
2005184741.tif 000003
【図２】
2005184741.tif 000004
【図３】
2005184741.tif 000005
【図４】
2005184741.tif 000006
【図５】
2005184741.tif 000007